(57)【特許請求の範囲】
【請求項１】
電子デバイスと、該電子デバイスの陽極の出力端と、該電子デバイスの陰極の出力端と、を備えた複数のパネルと、
前記複数のパネルの各々が二つの配置状態で装着可能であり、
一方の配置状態の場合、前記複数のパネルに搭載された各々の前記電子デバイスが直列接続になるように配線する直列配線と、
他方の配置状態の場合、前記複数のパネルに搭載された各々の前記電子デバイスが並列接続になるように配線する並列配線と、
を備えた支持接続基板と、
を有することを特徴とする電子デバイスモジュール。
【請求項２】
前記パネルは、前記支持接続基板に装着した状態で、隣り合う他の前記パネルと嵌合することを可能とする凸部と凹部とを有することを特徴とする請求項１記載の電子デバイスモジュール。
【請求項３】
前記パネルは、フィルム基板またはガラス基板を有することを特徴とする請求項１または２に記載の電子デバイスモジュール。
【請求項４】
前記電子デバイスは、発光デバイス、光電変換デバイスの何れかであることを特徴とする請求項１から３の何れか一項に記載の電子デバイスモジュール。
【請求項５】
前記発光デバイスは、ＬＥＤ、有機エレクトロルミネッセンス素子の何れかであることを特徴とする請求項４に記載の電子デバイスモジュール。
【請求項６】
前記光電変換デバイスは、単結晶シリコン太陽電池、多結晶シリコン太陽電池、薄膜シリコン太陽電池、ＨＩＴ太陽電池、多接合太陽電池、ＣｄＴｅ太陽電池、ＣＩＧＳ太陽電池、色素増感太陽電池、有機薄膜太陽電池、または、フォトダイオードの何れかであることを特徴とする請求項４に記載の電子デバイスモジュール。
【請求項７】
請求項１から６の何れかに記載の電子デバイスモジュールを備えたことを特徴とするブラインド装置。
【請求項８】
請求項１から６の何れかに記載の電子デバイスモジュールを備えたことを特徴とするカーテン装置。
【請求項９】
請求項１から６の何れかに記載の電子デバイスモジュールを備えたことを特徴とする照明装置。
【発明の詳細な説明】
【技術分野】
【０００１】
本発明は、発光または発電に関する電子デバイスを搭載したパネルを複数接続した電子デバイスモジュール、並びに該電子デバイスモジュールを搭載したブラインド装置、カーテン装置、及び照明装置に関する。
【背景技術】
【０００２】
近年、有機ＥＬ（Ｅｌｅｃｔｒｏ−Ｌｕｍｉｎｅｓｃｅｎｃｅ）素子、ＬＥＤ（Ｌｉｇｈｔ  Ｅｍｉｔｔｉｎｇ  Ｄｉｏｄｅ）などを用いた照明装置や、太陽電池などが、省エネルギー化の要望の下、実用形態を意識した鋭意開発がなされている（例えば特許文献１，２，３参照）。
【０００３】
特許文献１に記載のブラインド装置においては、ブラインド上に、太陽電池、シート状ポリマー二次電池、または有機ＥＬ素子等を具備したシート状面発光体を備えており、ブラインドの面を有効に利用していることが開示されている。
【０００４】
特許文献２に記載のブラインド装置においては、ブラインド上に太陽電池を配設し、引出した出力端子を出力リード線とブラインドのラダーコードを兼ねさせていることが開示されている。
【０００５】
特許文献３に記載の太陽電池においては、枠体と太陽電池の端子電極を電気的に接続し、その枠体端部に凹部あるいは凸部を形成し嵌合させることによってモジュール相互の機械的、電気的の接続を行っていることが開示されている。
【先行技術文献】
【特許文献】
【０００６】
【特許文献１】特開２００１−８２０５８号公報
【特許文献２】特開２００４−２７６６１号公報
【特許文献３】特開平７−８６６２７号公報
【発明の概要】
【発明が解決しようとする課題】
【０００７】
しかしながら、特許文献１に記載のブラインド装置においては、面発光デバイス、太陽電池、二次電池のシート状の３種類のデバイスが貼り合わせ構造になっていることを開示しているのみであり、実際にそれらを配設する際に必要な配線の接続手段に関しての開示はなされていない。
【０００８】
また、特許文献２に記載の太陽電池においては、その太陽電池の接続方法についての開示はされているが、単にリード線で行うものであり、実際に組付を行う際に、煩雑な手間を要する。
【０００９】
そして、特許文献３に記載の太陽電池においては、太陽電池に枠体が付けられたモジュールによって電気的接続を一意的な配線で行っているものの、太陽電池の設置上重要となる直列接続または並列接続の両方を選択して設置することができない。
【００１０】
本発明は、発光、発電等の電子デバイスを複数接続・設置上重要となる直列接続または並列接続の両方を簡単に選択することができる電子デバイスモジュール、並びに該電子デバイスモジュールを用いたブラインド装置、カーテン装置、及び照明装置を提供する。
【課題を解決するための手段】
【００１１】
前述の目的は、下記に記載する発明により達成される。
【００１２】
１．電子デバイスと、該電子デバイスの陽極の出力端と、該電子デバイスの陰極の出力端と、を備えた複数のパネルと、
前記複数のパネルの各々が二つの配置状態で装着可能であり、
一方の配置状態の場合、前記複数のパネルに搭載された各々の前記電子デバイスが直列接続になるように配線する直列配線と、
他方の配置状態の場合、前記複数のパネルに搭載された各々の前記電子デバイスが並列接続になるように配線する並列配線と、
を備えた支持接続基板と、
を有することを特徴とする電子デバイスモジュール。
【００１３】
２．前記パネルは、前記支持接続基板に装着した状態で、隣り合う他の前記パネルと嵌合することを可能とする凸部と凹部とを有することを特徴とする前記１記載の電子デバイスモジュール。
【００１４】
３．前記パネルは、フィルム基板またはガラス基板を有することを特徴とする前記１または２に記載の電子デバイスモジュール。
【００１５】
４．前記電子デバイスは、発光デバイス、光電変換デバイスの何れかであることを特徴とする前記１から３の何れか一項に記載の電子デバイスモジュール。
【００１６】
５．前記発光デバイスは、ＬＥＤ、有機エレクトロルミネッセンス素子の何れかであることを特徴とする前記４に記載の電子デバイスモジュール。
【００１７】
６．前記光電変換デバイスは、単結晶シリコン太陽電池、多結晶シリコン太陽電池、薄膜シリコン太陽電池、ＨＩＴ太陽電池、多接合太陽電池、ＣｄＴｅ太陽電池、ＣＩＧＳ太陽電池、色素増感太陽電池、有機薄膜太陽電池、または、フォトダイオードの何れかであることを特徴とする前記４に記載の電子デバイスモジュール。
【００１８】
７．前記１から６の何れかに記載の電子デバイスモジュールを備えたことを特徴とするブラインド装置。
【００１９】
８．前記１から６の何れかに記載の電子デバイスモジュールを備えたことを特徴とするカーテン装置。
【００２０】
９．前記１から６の何れかに記載の電子デバイスモジュールを備えたことを特徴とする照明装置。
【発明の効果】
【００２１】
発光、発電等の電子デバイスを複数接続・設置上重要となる直列接続または並列接続の両方を簡単に選択することができる電子デバイスモジュール、並びに該電子デバイスモジュールを用いたブラインド装置、カーテン装置、及び照明装置を提供できる。
【図面の簡単な説明】
【００２２】
【図１】本実施形態に係る電子デバイスモジュール１の概要図の一例である。
【図２】本実施形態に係る電子デバイスモジュール１の概要図の他の例である。
【図３】パネル３と支持接続基板５の配線図であり、図３（ａ）が支持接続基板５の概要図の概要図、図３（ｂ）がパネル３である。
【図４】並列接続で１つおきに電子デバイス搭載のパネルが配置・接続された電子デバイスモジュール１の概要図である。
【図５】直列接続で１つおきに電子デバイス搭載のパネルが配置・接続された電子デバイスモジュール１の概要図である。
【図６】有機ＥＬ素子１００の断面構造を示す概要図である。
【図７】太陽電池の断面構造を示す概要図である。
【図８】図１をＡ−Ａ’線に沿って切断した縦断図である。
【図９】透光性基板４５上に作製された電子デバイス７の概要図である。
【図１０】電子デバイス７が作り込まれたガラス基板４５（パネル）を、支持接続基板５に装着した状態を示す模式図である。
【図１１】電子デバイスモジュール１を用いたブラインド装置３００の概要図である。
【図１２】電子デバイスモジュール１を用いたカーテン装置４００の概要図である。
【発明を実施するための形態】
【００２３】
以下に本発明の実施形態を図面により説明するが、本発明は以下に説明する実施形態に限られるものではない。なお、各図において同一の符号を付した構成は、同一の構成であることを示し、その説明を省略する。
【００２４】
図１は、本実施形態に係る電子デバイスモジュール１の概要図の一例である。図２は、本実施形態に係る電子デバイスモジュール１の概要図の他の例である。図１と図２の相違は、支持接続基板５に対する向きを異ならせてパネル３を装着した点である。つまり、図１では、並列配線１３を用いて並列接続されるように支持接続基板５にパネル３を装着している。一方、図２では、直列配線１１を用いて直列接続されるように支持接続基板５にパネル３を装着している。
【００２５】
電子デバイスモジュール１は、電子デバイス７を搭載した複数のパネル３と、支持接続基板５とを備える。なお、パネル３の基板及び支持接続基板５は、ガラスや金属のような曲げることが難しい剛性の大きい材料からなる基板で構成されても良く、可撓性フィルムのように曲げることができる材料からなる基板で構成されても良い。
【００２６】
図３は、パネル３と支持接続基板５の配線図であり、図３（ａ）が支持接続基板５の概要図、図３（ｂ）がパネル３の概要図である。
【００２７】
複数のパネル３が支持接続基板５に着脱可能であり、かつ、支持接続基板５に対する向きを異ならせてパネル３を装着可能なように、パネル３と支持接続基板５の構成が設定されている。支持接続基盤５にパネル３を装着後、支持接続基盤５からパネル３を取り外せないように、支持接続基盤５とパネル３との装着部分を構成してもよいし、取り外せるように構成してもよい。
【００２８】
パネル３には、電子デバイス７が搭載され、電子デバイスの陽極の出力端と陰極の出力端とが、パネル３の基板の一端まで形成されている。各出力端は、外部の端子と導通可能なように形成されている。詳細は後述するが、各出力端は、例えば、パネル３に搭載している電子デバイス７を保護する保護層が設けられており、この保護層は基板の端部の一部で各出力端を露出させた構造となっている。このように出力端を露出させた構造の他に、出力端に接続端子が設けられていても良い。パネル３は図３（ｂ）で示すように、パネル３に搭載される電子デバイス７の陽極と陰極がどちらかわかるように、例えば凸部３１と凹部３２が形成されている。なお、電子デバイス７を搭載するとは、パネル３の基板上に、電子デバイス７を作り込むこと、または実装することを言う。ここで、パネル３の基板上に、電子デバイス７を作り込むとは、パネル３の基板上に、適当な半導体プロセスにより、図６，７で示す各層を成膜、及び図９で示すパターンにパターニングして作製することを言う。
【００２９】
パネル３の基板が、例えばフィルム基板の場合、厚み１００μｍのＰＥＴまたはＰＥＮフィルム上に直接電子デバイスを形成し、さらにその上に印刷技術等で金属を配線として形成した構造を有する。さらにその上に引き出し線を形成しても良い。配線、引き出し線はＡｌ，Ｃｕ，Ａｇなど、低抵抗の金属を用いることができる。そして、電子デバイスと配線が形成されたフィルム基板を、電気的な絶縁性を得るためや、水分、酸化防止のために、バリアフィルムで両面から封止する構成を取る。このようにフィルム基板を有するパネル３は、何れにしても薄いことからフレキシブルに変形する可撓性を有する。
【００３０】
パネル３が支持接続基板５に取付けられると、パネル３の陽極の端子と陰極の端子とが、支持接続基板５に備えられた直列配線１１または並列配線１３に導通可能なように配線位置（配置状態）が設定されている。
【００３１】
そして、複数のパネル３が、直列配線１１または並列配線１３の何れか一方に導通するように支持接続基板５に取り付けられると、複数のパネル３の全てが直列接続、または並列接続されることとなる。
【００３２】
さらに、図３（ｃ）、（ｄ）のように、電子デバイスの搭載されていないダミーパネルや、配線のみ搭載されたダミーパネルを用いれば、図３に示す電子デバイスの搭載されているパネルは連続で支持接続基板に配置・接続することなく、任意の位置で配置・接続可能である。例えば図４では、並列接続で１つおきに電子デバイスの搭載されているパネルを配置・接続する場合を示している。また、図５では、直列接続で１つおきに電子デバイスの搭載されているパネルを配置・接続する場合を示している。何れの場合も、パネルとダミーパネルの配置・接続の設定はこの例の限りではなく、任意に設定可能である。
【００３３】
電子デバイス７は、例えば、発光デバイスであれば有機ＥＬ素子、ＬＥＤを採用することができ、また、例えば光電変換デバイスであれば太陽電池やフォトダイオードを採用できる。
【００３４】
太陽電池としては、単結晶シリコン太陽電池、多結晶シリコン太陽電池、アモルファスシリコン、微結晶シリコン薄膜、シリコン化合物（ＳｉＣ，ＳｉＧｅ）薄膜を単独または組み合わせて積層した薄膜シリコン太陽電池、単結晶シリコンにアモルファスシリコンや微結晶シリコンを薄膜積層したＨＩＴ太陽電池、バンドギャップの異なる太陽電池を複数積み重ねた多接合太陽電池、ＣｄＴｅ太陽電池、ＣＩＧＳ太陽電池、色素増感太陽電池、有機薄膜太陽電池を好適に採用できる。
【００３５】
図６は、有機ＥＬ素子１００の断面構造を示す概要図である。有機ＥＬ素子１００は、基材１０４の上にＩＴＯ１０１、有機層１０２、アルミ層１０３を積層配置してなり、アルミ層１０３、ＩＴＯ１０１間に電圧を印加する構造となっている。
【００３６】
有機ＥＬ素子の発光原理としては、基板の上に透明導電膜（アノード）、有機ＥＬ材料、そして金属電極（カソード）の、極めて薄い薄膜を積層させたものに電流を流すことにより、有機ＥＬ材料中で電子−正孔の再結合を起こさせ、これにより光を発生させる、というものである。有機ＥＬ素子は、軽量、面発光で、薄型化できる。さらに基板を可撓性のあるフィルム基板にすれば屈曲自在となり、壊れにくくすることも可能である。また、有機層の発光する材料を変えることで、発光は白色だけでなく様々な発光色にすることができる。
【００３７】
ＬＥＤは、半導体を用いて作製されたＰＮ接合において、電極から注入された電子と正孔が、異なったエネルギー帯（伝導帯と価電子帯）を移動し、禁制帯を越えて再結合する際にほぼ禁制帯幅に相当するエネルギーを光として放出するものである。
【００３８】
図７（ａ）は、結晶系太陽電池の断面概要図である。ＬＥＤと同様にＰ型とＮ型の半導体を接合したＰＮ接合型ダイオードになっている。
【００３９】
結晶系太陽電池２００は、例えば、反射防止膜２０１、Ｎ型半導体層２０２、Ｐ型半導体層２０３、Ｐ＋型半導体層２０４、裏面電極２０５を備える。半導体材料としては、シリコン系、化合物系がある。ＬＥＤと逆の過程を通じて電子に光のエネルギーを吸収させて光励起し、エネルギーを持った電子を直接的に電力として取り出す。
【００４０】
図７（ｂ）は、薄膜系太陽電池の断面図であり、アモルファスシリコンを用いた薄膜シリコン太陽電池の例を示す。ガラス基板２５０上に、スパッタ法によって透明導電膜２５１を成膜し、プラズマＣＶＤによりシランガスＳｉＨ４を分解して光電変換層２５２を成膜、その上に裏面電極２５３をスパッタ法により成膜する。光電変換層はＰＩＮ型ダイオードの構造となっており、より詳しくはＰ層、Ｉ層、Ｎ層と順次成膜する。Ｉ層はシランガスのみをプラズマＣＶＤにより分解して水素化アモルファスシリコン膜ａ−Ｓｉ：Ｈを成膜する。Ｐ層はジボランＢ２Ｈ６というＰ型ドーピングガスをシランと共にプラズマＣＶＤによって分解し形成する。Ｎ層は同様にホスフィンＰＨ３というＮ型ドーピングガスをシランと共にプラズマＣＶＤによって分解し形成する。
【００４１】
光電変換層の半導体材料はいろいろなものが開発されており、アモルファスシリコンの他に、Ｃｄ，Ｔｅの化合物を用いたＣｄＴｅ太陽電池、Ｃｕ，Ｉｎ，Ｇａ，Ｓｅの化合物を用いたＣＩＧＳ系太陽電池、有機半導体を用いた有機薄膜太陽電池等がある。特に、これら薄膜系太陽電池は、光電変換層を低温で形成することができ、上記のガラス基板の替わりにフィルム基板上に作製できるものが多い。これによって、軽く、フレキシブル性を持つ太陽電池を実現でき、様々な応用が考えられている。
【００４２】
電子デバイス７には、光を電気に変換する光電変換素子、電気を光に変換する発光素子の他、他の素子を採用することができる。光電変換素子としては、例えば、薄膜フォトダイオードなどを採用することができる。
【００４３】
なお、電子デバイス７は、複数の電子デバイスを直列に、並列に、または混在した接続方法で接続した電子デバイスの集合体でもよい。
【００４４】
支持接続基板５上には、直列配線１１と、並列配線１３と、各々の配線に接続されたスイッチ６，１５とが備えられている。また、電子デバイス７が、有機ＥＬ素子などの電気を光に変換するデバイスの場合は、スイッチ６，１５と直列に電源９を有し、電子デバイス７が、太陽電池などの光を電気に変換するデバイスの場合は、スイッチ６，１５と直列に二次電池１０を有する。
【００４５】
電源９や二次電池１０は、支持接続基板５の外部に備えてもよい。電源９や二次電池１０が、支持接続基板５の外部に備えられている場合、支持接続基板５には、外部の電源９や二次電池１０からの電力を導く配線を設ける。また、電源９や二次電池１０は、支持接続基板の表裏面のどちらに設けてもよい。
【００４６】
例えば、電子デバイス７が太陽電池であって、各々の太陽電池で生じる電圧を合算したい場合には、太陽電池を搭載したパネル３を直列接続する。このように、太陽電池を搭載したパネル３を直列接続することで、二次電池１０には太陽電池から電圧値を向上させた起電力が蓄積される。
【００４７】
また、例えば、電子デバイス７が、太陽電池であって、各々の太陽電池で生じる電流を合算したい場合には、太陽電池を搭載したパネル３を並列接続する。このように、太陽電池を搭載したパネル３を並列接続することで、二次電池１０には太陽電池からの電流値を向上させた起電力が蓄積される。
【００４８】
スイッチ６，１５は、例えば、プッシュスイッチ、スライドスイッチを採用できるが、スイッチ６，１５自体を設けない構成でもよい。また、スイッチ６，１５は支持接続基板５の外部に設けても良い。
【００４９】
パネル３は、支持接続基板５に装着した状態で、隣り合う他のパネル３と嵌合して、固定され配置される構造となっている。すなわち、互いの凸部３１と凹部３２とが嵌合することで、位置決めされるようになっている。凸部３１と凹部３２とが嵌合する形状であれば、各々の形状は問わない。
【００５０】
また、パネル３と、支持接続基板５とは、互いに位置が固定されるような構造を有している。
【００５１】
図８は、電子デバイス７がＬＥＤの場合の図１のＡ−Ａ’線に沿って切断した断面図である。
【００５２】
支持接続基板５は、支持接続基板５のベース部５１、中間層５２、直列配線１１、並列配線１３、保護層５３を有する。
【００５３】
パネル３は、絶縁体５４，５６、配線５５、電子デバイス７を備える。
【００５４】
パネル３のベースである絶縁体５４は、支持接続基板５のベース部５１と保護層５３との間に嵌め込まれる構造となっている。
【００５５】
そして、支持接続基板５の並列配線１３と、パネル３の配線５５とが導通されるようになっている。
【００５６】
また、パネル３の向きを変えれば、パネル３の配線５５と支持接続基板５の他の直列配線１１とが導通されるようになっている。
【００５７】
図９は、透光性基板４５上に作製された電子デバイス７の概要図である。透光性基板としては、例えば、液晶ディスプレイガラスに使用されているような透光性のガラスや、ＰＥＴ及びＰＥＮなどの可撓性を持つフレキシブルな基板を用いることができる。図９における列方向は、電子デバイスが１素子のみの場合、２素子直列の場合、２素子並列の場合をそれぞれ表す。行方向は、回路図、構成図、そしてＸ−Ｘ’断面図の例を示した。
【００５８】
回路図で表されているように、一枚の基板内で電子デバイスの素子数を任意に設定できる。また直列、並列の配置も一枚の基板内で任意に設定可能である。
【００５９】
図９は、電子デバイス７が有機ＥＬ素子などの発光素子、または、アモルファスシリコン太陽電池、有機半導体を光電変換層として使った有機薄膜太陽電池や光センサなどの光電変換素子の場合を表している。何れの場合も、透光性基板４５上において、電極４０と透明電極４３とで、発光層（または光電変換層）４２が挟まれた構造をなし、保護層４４が形成されている。電極４０と透明電極４３には引出配線４１が接続されている。保護層４４は、電子デバイスを電気的（リーク、帯電防止）、環境的（水分や酸化防止）に保護する層であり、蒸着、スパッタ、ＣＶＤ法などの真空成膜法により形成されるシリコン酸化膜、シリコン窒化膜などのバリア膜、またはガラス、バリアフィルムを接着剤で接着したものであってもよい。また、内部に乾燥剤と乾燥窒素を封入した封止用メタル缶により接着封止したものであってもよい。
【００６０】
構成図に見るように、発光層（または光電変換層）４２は透光性基板４５の面内になるべく大きな面積比で設けられる。透明電極は、例えば、ＩＴＯ、ＺｎＯなどの無機透明導電膜、またはＰＥＤＯＴ−ＰＳＳなどの有機導電膜が好適である。
【００６１】
図１０は、透光性基板４５上に電子デバイス７が作り込まれたパネル３を、支持接続基板５に装着した状態を示す模式図である。図１０（ａ）は、透光性基板４５上に電子デバイス７が作り込まれたパネル３の概略図であり、図１０（ｂ）は、パネル３を支持接続基板５に装着した状態を表し、図１０（ｃ）は、パネル３を逆さまにして、支持接続基板５に装着した状態を表す。電子デバイス７が作り込まれたパネル３への光の入射または、パネル３からの光の出射は、透光性基板４５側から行われるが、支持接続基板５のベース部５１が透光性である、または窓が開いて光が入射または出射する構造の場合が図１０（ｂ）で示され、そうでない場合が図１０（ｃ）で示されている。
【００６２】
次に、電子デバイスモジュール１を用いた応用について説明する。図１１は、電子デバイスモジュール１を用いたブラインド装置３００の概要図である。
【００６３】
ブラインド装置３００は、横型ブラインドであり、スラット３０１を多数水平に並設させ各スラット３０１の両端に巻き上げ紐３０２を結合し、各スラット３０１を前後に回動自在、及び巻き上げ自在としたものである。
【００６４】
ブラインド装置３００は、遮光目的で用いられる通常のブラインドの場合と同様に室内側の窓側近傍へ、吊り下げるように設置される。
【００６５】
ブラインド装置３００では、電子デバイスモジュール１がスラット３０１として用いられる。すなわち、電子デバイスモジュール１自体に巻き上げ紐を通す穴を形成することで、電子デバイスモジュール１自体がスラット３０１の役割を果たす。
【００６６】
パネル３に搭載される電子デバイス７は、例えば、有機薄膜太陽電池または有機ＥＬ素子である。
【００６７】
電子デバイス７が太陽電池の場合、スラット３０１の数に合わせて電子デバイスモジュール１を設け、スラット３０１毎の電子デバイスモジュール１に搭載した太陽電池の出力を合算するための配線を、巻き上げ紐３０２に並列して設け、出力をブラインド装置３００の外部に取り出しても良い。
【００６８】
また、電子デバイス７が有機ＥＬ素子の場合、同じく、スラット３０１の数に合わせて電子デバイスモジュール１を設け、スラット３０１毎の電子デバイスモジュール１に搭載した有機ＥＬ素子へ電力を供給するための配線を、巻き上げ紐３０２に並列して設け、外部から有機ＥＬ素子を制御してもよい。
【００６９】
次に、電子デバイスモジュール１を用いた他の応用について説明する。図１２は、電子デバイスモジュール１を用いたカーテン装置４００の概要図である。
【００７０】
カーテン装置４００は、ブラインド装置３００のスラット３０１を縦型にした横型ブラインドと実質同じである。
【００７１】
スラット４０１を多数鉛直に並設させ、各スラット４０１の上端にカーテンレール４０２を、リング４０３を通して結合し、各スラット４０１を左右に自在に移動可能としたものである。この場合、スラット４０１の上端からリング４０３、カーテンレール４０２を通して、外部と接続し、有機ＥＬ素子を制御したり、太陽電池から電力を取り出してもよい。各々の機能は、上述のブラインド装置３００における機能と同様であるので説明を省略する。
【００７２】
なお、図１２に示すように、電子デバイスモジュール１を、例えば室内の天井に設ける照明装置５００として利用することもできる。この照明装置５００では、電子デバイス７に有機ＥＬ素子やＬＥＤ等の発光素子を採用し、これら発光素子毎に指定の電圧または電流で駆動するために並列または直列に配置し、スイッチ１５にプッシュスイッチを採用し、使用者がスイッチを操作するものである。
【００７３】
以上のように、本実施形態によれば、電子デバイスと、電子デバイスの陽極の出力端と、電子デバイスの陰極の出力端と、を備えた複数のパネルと、複数のパネルの各々が二つの配置状態で装着可能であり、一方の配置状態の場合、前記複数のパネルに搭載された各々の前記電子デバイスが直列接続になるように配線する直列配線と、他方の配置状態の場合、前記複数のパネルに搭載された各々の前記電子デバイスが並列接続になるように配線する並列配線と、を備えた支持接続基板と、を有することで、発光、発電等の電子デバイスを複数接続・設置上重要となる直列接続または並列接続の両方を簡単に選択することができる電子デバイスモジュールを提供することができる。
【００７４】
また、本実施形態によれば、パネルは、支持接続基板に装着した状態で、隣り合う他のパネルと嵌合することを可能とする凸部と凹部とを有することで、パネル同士の位置決めを精度よく行う、正確な配線を実現できる電子デバイスモジュールを提供することができる。
【００７５】
また、本実施形態によれば、パネルを構成する基板は、ガラス基板、フィルム基板の両方を採用でき、フレキシブルかリジッドかを問わず選択することができる。
【００７６】
また、本実施形態によれば、電子デバイスは、発光デバイス、光電変換デバイスの何れを採用することができる。
【００７７】
また、本実施形態によれば、発光デバイスは、ＬＥＤ、有機エレクトロルミネッセンス素子の何れを採用することができる。
【００７８】
また、本実施形態によれば、光電変換デバイスは、結晶シリコン太陽電池、薄膜シリコン太陽電池、ＣｄＴｅ太陽電池、ＣＩＧＳ太陽電池、有機薄膜太陽電池、または、薄膜フォトダイオードの何れを採用することができる。
【００７９】
また、本実施形態によれば、上記の電子デバイスモジュールを採用することで、光を電気に変換し、または電気を光に変換する機能を有するブラインド装置、カーテン装置を提供することができる。
【００８０】
また、本実施形態によれば、上記の電子デバイスモジュールを採用することで、有機ＥＬ素子等の発光素子の直列接続または並列接続の両方を簡単に選択することが可能な照明装置を提供することができる。
【符号の説明】
【００８１】
１  電子デバイスモジュール
３  パネル
５  支持接続基板
７  電子デバイス
１１  直列配線
１３  並列配線
３１  凸部
３２  凹部
１００  有機ＥＬ素子
２００  太陽電池
３００  ブラインド装置
４００  カーテン装置
５００  照明装置
【図１】
0005516116.tif 000002
【図２】
0005516116.tif 000003
【図３】
0005516116.tif 000004
【図４】
0005516116.tif 000005
【図５】
0005516116.tif 000006
【図６】
0005516116.tif 000007
【図７】
0005516116.tif 000008
【図８】
0005516116.tif 000009
【図９】
0005516116.tif 000010
【図１０】
0005516116.tif 000011
【図１１】
0005516116.tif 000012
【図１２】
0005516116.tif 000013